(57)【要約】【課題】従来の床置き式表示装置は板状の巾木に複数の発光素子を埋め込み、樹脂を塗布して硬化させて表示部とし、表示部外に表示部を制御する制御部を設けるようになっていたので、人や車の加重を受けたときの強度や設置容易さに課題があった。【解決手段】本発明の制御部と予め表示情報を記憶させた記憶部と表示部を駆動する表示駆動部と電源部とからなり、床置き式表示装置の床と接する平板の基台と基台の上に設置されたザグリ部を有し、基台とザグリ部内の空間に表示部、表示駆動部、記憶部、制御部を設置し、表示部を可視可能とする開口部Ｉを有する外枠と外枠上に設置された表示部が可視可能な透明シートと透明シート上に表示部を可視可能とする開口部ＩＩを有する上板とから一体として形成されている。【選択図】図７
2019082657.tif 000002
【特許請求の範囲】
【請求項１】
複数の発光素子がマトリクス状に配列された発光素子アレイからなる表示部を用いた床置き式表示装置において、
前記表示部を制御する制御部と、
前記表示部に表示させる表示情報を予め記憶させた記憶部と、
前記制御部の制御信号に従って表示部を駆動する表示駆動部と、
前記表示部、制御部、記憶部、表示駆動部に電力を供給する電源部と、
からなることを特徴とする床置き式表示装置。
【請求項２】
請求項１記載の床置き式表示装置において、前記表示部、表示駆動部、記憶部、制御部および電源部は一体として形成されていることを特徴とする床置き式表示装置。
【請求項３】
請求項１または２記載の床置き式表示装置において、
床置き式表示装置の床と接する平板の基台と、
前記基台の上に設置されたザグリ部を有し、前記基台とザグリ部内の空間に前記表示部、表示駆動部、記憶部、制御部構成する電気部品を実装した基板を設置可能で、更に開口部Ｉを有し、前記基台上に設置した表示部を可視可能とする外枠と、
前記外枠上に設置された表示部が可視可能な透明シートと、
前記透明シート上に表示部を可視可能とする開口部ＩＩを有する上板と
からなることを特徴とする床置き式表示装置。
【請求項４】
請求項３記載の床置き表示装置において、前記外枠のザグリ部のうち、前記電気部品の高さが予め設定した一定高さ以上の電気部品上の位置のザグリ部を開口部ＩＩＩとし、前記基板に施されている電気配線パターン及び高さが予め設定した一定高さ以下の電気部品実装領域のザグリ深さをザグリ部周辺のザグリ深さより深くしたことを特徴とする床置き式表示装置。
【請求項５】
請求項３または請求項４記載の床置き式表示装置において、前記電気部品の高さが予め設定した一定高さ以上の電気部品上の位置の電気部品と透明シート間、または透明シートと上板間に樹脂層からなる緩和層を形成したことを特徴とする床置き式表示装置。
【請求項６】
請求項３記載の床置き式表示装置において、前記高さが予め設定した一定以上の高さの電気部品上でない位置の前記上板にリブ１を設置したことを特徴とする床置き式表示装置。
【請求項７】
請求項６記載の床置き式表示装置において、前記リブ１より低い高さのリブ２を前記高さが予め設定した一定以上の電子部品上位置の前記上板に設置したことを特徴とする床置き式表示装置。
【発明の詳細な説明】
【技術分野】
【０００１】  本発明は、床に直接置いて情報を表示できる床置き式表示装置に関する。
【背景技術】
【０００２】  従来のこの種の技術は、例えば特許文献１に開示されているように、板状の巾木に複数の発光素子を埋め込み、樹脂を塗布して硬化させて表示部とし、表示部外に表示部を制御する制御部を設けるようになっていた。また特許文献２に開示されているように、ゴムや合成樹脂により平板状に形成されたマットに発光素子アレイによる表示部を設け、マット内に駆動用電池を内蔵し、マット表面に表示切替スイッチを設けるようになっていた。
【先行技術文献】
【特許文献】
【０００３】
【特許文献１】特開２０１１−１１３１１５号公報
【特許文献２】特開平１１−１６６２１２号公報
【発明の概要】
【発明が解決しようとする課題】
【０００４】  特許文献１記載の方法は板状の巾木に複数の発光素子を埋め込み、樹脂を塗布して硬化させて表示部とし、表示部外に表示部を制御する制御部を設けるようになっているため、表示部のほかに制御部を床上の場所に設置する必要があり、表示部と制御部間の配線も必要で表示装置の設置が容易でない欠点がある。また、巾木に発光素子を理め込み、樹脂を塗布して硬化させただけの構造であるので繰り返し人に踏まれたり、車などの加重を受けたとき、その耐久性に課題がある。また特許文献２に開示されている方法は、ゴムや合成樹脂により平板状に形成されたマットに発光素子アレイによる表示部を設け、マット内に駆動用電池を内蔵し、マット表面に表示切替スイッチを設けるようになっているので、特許文献１と同じく人や車の加重を受けたときの強度に課題があった。
【課題を解決するための手段】
【０００５】  本発明は、上記のような課題を解決するためになされたもので、本発明の床置き式表示装置は、表示部を制御する制御部と予め表示情報を記憶させた記憶部と制御部の制御信号に従って表示部を駆動する表示駆動部と、表示駆動部、記憶部、表示部に電力を供給する電源部とからなり、床置き式表示装置の床と接する平板の基台と基台の上に設置されたザグリ部を有し、基台とザグリ部内の空間に表示部、表示駆動部、記憶部、制御部構成する電気部品を実装した基板を設置可能とし、更に表示部を可視可能とする開口部Ｉを有し、外枠と外枠上に設置された表示部が可視可能な透明シートと透明シート上に表示部を可視可能とする開口部ＩＩを有する上板とからなり、一体として形成されていることを特徴とする。【０００６】  また、本発明の床置き式表示装置は、外枠のザグリ部のうち、電気部品の高さが予め設定した一定高さ以上の電気部品上の位置のザグリ部を開口部ＩＩＩとし、基板に施されている電気配線パターン及び高さが予め設定した一定高さ以下の電気部品実装領域のザグリ深さをザグリ部周辺より深くしたことを特徴とする。【０００７】  更に本発明の床置き式表示装置は、駆動部、制御部、記憶部を構成する電子部品を実装した基板と電子部品の高さが予め設定した一定以上の電子部品上の電子部品と透明シート間または透明シートと上板間に樹脂層からなる緩和層を形成したことを特徴とする。【０００８】  また、本発明の床置き式表示装置は高さが予め設定した一定以上の電子部品上でない近傍の位置の上板にリブ１または、前記リブ１より低い高さのリブ２を高さが予め設定した一定以上の電子部品上位置の前記上板に設置したことを特徴とする。
【発明の効果】
【０００９】  本発明によれば、床置き式表示装置を構成する表示部、表示駆動部、記憶部、制御部および電源部は床置き式表示装置の床と接する平板の基台と基台の上に設置されたザグリ部を有する平板の外枠と基台間内に設置、一体として形成され、更に外枠のザグリ部のうち、電気部品の高さが予め設定した一定高さ以上の電気部品上の位置のザグリ部を開口部ＩＩＩとし、基板に施されている電気配線パターン及び高さが予め設定した一定高さ以下の電気部品実装領域のザグリ深さをザグリ部周辺より深くすることにより、加重を受ける外枠が直接基板の電気回路配線パターン及び電子部品に接触しないようにしているために、設置が容易で、床置き式表示装置が大きな加重を受けても安定した表示機能を発揮し、機械的耐久性にも優れた床置き式表示装置を提供できる。
【図面の簡単な説明】
【００１０】
【図１】本発明の実施形態に係る床置き式表示装置のブロック図である。
【図２】本発明の第１の実施形態に係る床置き式表示装置の斜視図である。
【図３】不具合発生を説明するための床置き式表示装置の断面図である。
【図４】本発明第１実施形態に係る床置き式表示装置の上板および透明シートを除いたときの斜視図である。
【図５】本発明の第１実施形態に係る床置き式表示装置である図４の線Ｂ−Ｂ‘の断面図である。
【図６】本発明の第１実施形態に係る床置き式表示装置である図２の線Ａ−Ａ‘の断面図である。
【図７】本発明の第１実施形態に係る床置き式表示装置である図２の線Ｂ−Ｂ‘の断面図である。
【図８】本発明の第２の実施形態に係る実施形態に係る床置き式表示装置の断面図である。
【図９】本発明の第２の実施形態に係る実施形態に係る床置き式表示装置の断面図である。
【図１０】本発明の第３の実施形態に係る実施形態に係る床置き式表示装置の断面図である。
【発明を実施するための形態】
【００１１】  以下、本発明の実施形態について添付図面を参照しながら説明する。図１は本発明の実施形態に係る床置き式表示装置のブロック図、図２は本発明の第１実施形態に係る床置き式表示装置の斜視図、図３は床置き式表示装置の不具合発生を説明するための床置き式表示装置の断面図、図４は上板および透明シートを除いたときの本発明の第１実施形態に係る床置き式表示装置の斜視図、図５は図４の上板および透明シートを除いたときの本発明の第１実施形態に係る床置き式表示装置線Ｂ−Ｂ‘の断面図、図６は図２の本発明の第１実施形態に係る床置き式表示装置の線Ａ−Ａ‘の断面図、図７は図２の本発明の第１実施形態に係る床置き式表示装置の線Ｂ−Ｂ‘の断面図である。
【００１２】  図１に示すように、床置き式表示装置１０はコンセント１５からの電源を供給する電源部１と複数の発光素子がマトリクス状に配列された発光素子４アレイからなる表示部４と表示部４を駆動する表示駆動部３、表示部４の表示内容を制御する制御部５とからなる。電源部１も床置き式表示装置１０外のコンセント１５から引き込むように図示しているが、電池、太陽電池などを利用して床置き式表示装置に組み込んでも良い。
【００１３】  図２に示す本発明の第１実施形態に係る床置き式表示装置の斜視図（コンセントは図示せず）のように床置き式表示装置の表面は上板１４があり、上板には表示部の発光素子２１が可視できるように開口部ＩＩ２０がある。上板１４の下には透明シート１３があり、開口部ＩＩ２０と透明シート１３を通して発光素子２１の光を視認できるようになっている。上板は強度が強く、機械的な傷が付きにくい材料で作成されている。
【００１４】  透明シート１３の下には外枠１２がある。外枠１２は５〜２０ｍｍの厚さの樹脂板材で、ザグリ部を有し、そのザグリ部と基台１１間の空間に表示部と制御部、表示駆動部、電源部の電気部品を実装した基板が設置されており（図示せず）、外枠１２は床置き式表示装置の土台となる基台１１上にある。基台１１および外枠１２、透明シート１３は電気的な絶縁性を有する材料を用いられている。
【００１５】  図３は床置き式表示装置の不具合発生を説明するための床置き式表示装置の断面図で、本発明の床置き式表示装置を用いず、外枠で電気部品を実装した基板全体を収納できる開口部を形成して床置き式表示装置とすると、例えば図３の矢印付近に小石があり、そこを人が踏むとき、外板１４の１点に大きな力が加わる。床置き式表示装置は、人がつまずかないように、その厚さを薄くし、床との段差を小さくするようになっている。そのため外板１４も厚さ５ｍｍ以下で大きな外力が１点に加わると、大きくたわむ。このたわみが透明シート１３を経由して基板上の電気部品に加わる。実装されている電気部品はその高さは一様でなく、いろいろな高さの電気部品がある。これらの実装された電気部品のうち高さの高い電気部品３０と透明シート１２との空間距離４０は非常に短く、外板１３が大きくたわむと大きな外力を受けることになり、電気部品３０が破壊されるに至り、床置き式表示装置は機能しなくなるという課題がある。
【００１６】  図４は上板および透明シートを除いたときの本発明の第１実施形態に係る床置き式表示装置の斜視図で、外枠１２の電気部品を実装した基板上の開口部ＩＩＩは複数の部分に分けられて開口されている。
【００１７】  図４の線Ｂ−Ｂ‘の断面を示したものが図５である。図５に示すように外枠１２は電気配線および電気部品の配置がない基板部２４を基台１１とで密着固定し、電気配線および電気部品の配置がない基板部２４以外の基板部分はザグリ部４５と基板とは空間を有した外枠部１２Ｂとなるように形成されている。
【００１８】  図６は図２の本発明の第１実施形態に係る床置き式表示装置の線Ａ−Ａ‘の断面図である。図６に示すように発光素子２１の配置されている位置で、外枠１２には開口部Ｉが形成され、外板１４には開口部ＩＩ２０が形成されているために、発光素子２１表示は床置き式表示装置の上から可視可能で、外板１４に加重が掛かっても、外枠１４が発光素子２１に接触することはない。
【００１９】図７は図２の本発明の第１実施形態に係る床置き式表示装置の線Ｂ−Ｂ‘の断面図である。図５で説明したように電気部品上には開口部ＩＩＩが形成され、基板上の電気配線を含む領域はザグリ部４５は外枠１２が基板と直接接しないように設置されている。
【００２０】本発明の第１実施形態に掛かる床置き式表示装置は以上説明したように構成されているために、外枠が基板上の電気配線および電気部品に接することなく、更に薄く成形された外枠１２Ｂで外力を受け止めることも可能で、加重負荷を受けにくい構造で、一体として形成されているために、設置が容易で、床置き式表示装置が大きな加重を受けても安定した表示機能を発揮し、機械的耐久性にも優れた床置き式表示装置を提供できる。
【００２１】  次に本発明の第２実施形態につき図面を用いて説明する。図８、図９は本発明の第２の実施形態に係る実施形態に係る床置き式表示装置の基板上の断面図である。第２の実施形態では、高さが予め設定した一定以上の電気部品上の電気部品３０と透明シート１３間または透明シート１３と上板１４間に樹脂層からなる緩和層３５を形成して、上板１４の１点に加わった荷重を分散して緩和層３５で受けることが可能となり、電気部品３０に加わる力を緩和でき、電気部品の破壊を防ぐことができる。
【００２２】  次に本発明の第３実施形態につき図面を用いて説明する。図１０は本発明の第３の実施形態に係る実施形態に係る床置き式表示装置の断面図である。高さが予め設定した一定以上の電気部品上でない近傍の位置の上板の上にリブ１と、リブ１より低い高さのリブ２を設置している。このような構造になっているために、加重を上板が受けたとき、上板の変形が小さくなり、電気部品が受ける加重を小さくできる。
【００２２】  以上、本発明の実施形態を説明したが、第１形態、第２形態、第３形態それぞれ単独、または２つ以上の形態の組み合わせを用いてもよい。
【符号の説明】
【００２３】  １・・電源部
３・・表示駆動部
４・・表示部
５・・制御部
６・・表示部
１０・・床置き式表示装置
１１・・基台
１２・・外枠
１２Ｂ・・薄く成形された外枠
１３・・透明シート
１４・・上板
１５・・コンセント
２０・・開口部
２１・・発光素子
２３・・基板
２４・・電気配線および電気部品の配置がない基板部
３０・・電気部品１
３１・・電気部品２
３２・・電気部品３
３５・・緩和層
４０・・リブ１
４１・・リブ２
４５・・ザグリ部
【図１】
2019082657.tif 000003
【図２】
2019082657.tif 000004
【図３】
2019082657.tif 000005
【図４】
2019082657.tif 000006
【図５】
2019082657.tif 000007
【図６】
2019082657.tif 000008
【図７】
2019082657.tif 000009
【図８】
2019082657.tif 000010
【図９】
2019082657.tif 000011
【図１０】
2019082657.tif 000012